(57)【要約】      （修正有）【課題】壁本体から湿気を放出させる、放湿や遮熱の機能を有する放湿壁面構造及びその放湿壁面構造に用いられるタイルを提供する。【解決手段】複数のタイルが施工面１２に敷設されてなり、前記タイルは表面９０と、前記施工面に面接する裏面と、一対の互いに対向する主側面６と、該主側面と隣り合う一対の互いに対向する副側面７とを有する板状体の一部分が欠損空間８８で欠損した形状をなし、前記欠損空間が各前記主側面がわで外部空間と導通し、前記副側面がわ及び前記表面がわで外部空間と導通せず、前記施工面に前記欠損空間に露出する露出面９２が存在し、隣り合うタイルの前記主側面間に目地空間となる隙間が形成された放湿壁面構造であり、前記放湿壁面構造に用いられる前記タイルである。【選択図】図８
2010077795.tif 000002
【特許請求の範囲】
【請求項１】
複数の板状のタイルが施工面に敷設されてなり、
前記タイルは表面と、施工面に面接する裏面と、一対の互いに対向する主側面と、該主側面と隣り合う一対の互いに対向する副側面とを有し、一部分が欠損して欠損空間が形成され、
前記欠損空間が各前記主側面がわで外部空間と導通し、前記副側面がわ及び前記表面がわで外部空間と導通せず、
前記施工面に前記欠損空間に露出する露出面が存在し、
隣り合うタイルの前記主側面間に目地空間となる隙間が形成された放湿壁面構造。
【請求項２】
前記欠損空間が、前記裏面に形成されて一方の前記主側面から他方の前記主側面に亘る溝により形成された請求項１に記載の放湿壁面構造。
【請求項３】
前記施工面が前記タイルを係合する係合部を備え、前記タイルが前記施工面に前記係合部を介して着脱可能に敷設されてなる請求項２に記載の放湿壁面構造。
【請求項４】
前記欠損空間が前記タイルを一方の前記主側面から他方の前記主側面に亘って貫通する貫通中空部と、前記裏面から前記貫通中空部に至る１または複数の貫通孔からなる請求項１に記載の放湿壁面構造。
【請求項５】
前記裏面の前記施工面に接する部分の面積をＳ、前記露出面の面積をＫとしたとき、Ｋの（Ｓ＋Ｋ）に対する比率が２〜９０％である請求項１から３のいずれかに記載の放湿壁面構造。
【請求項６】
請求項２または３に記載の放湿壁面構造に用いられる前記タイルであり、前記溝の内側面に凹凸が形成されたタイル。
【請求項７】
請求項４に記載の放湿壁面構造に用いられる前記タイルであり、一方の前記主側面から他方の前記主側面に亘る貫通中空部を有し、前記裏面から前記貫通中空部に至る１または複数の貫通孔が形成されたタイル。
【請求項８】
敷設状態でタイルの裏面の壁本体に接する部分の面積をＳ、前記貫通孔の前記裏面の開口部の面積の総和をＫとしたとき、Ｋの（Ｓ＋Ｋ）に対する比率が２〜９０％である請求項７に記載のタイル。
【請求項９】
前記欠損空間が、前記タイルを一方の前記主側面から他方の前記主側面に亘って貫通する貫通中空部と、前記裏面を二分して一方の前記主側面から他方の前記主側面に亘って形成され前記貫通中空部に達する切れ目により形成され、前記溝が貫通中空部と前記切れ目からなり、敷設状態でタイルの裏面の壁本体に接する部分の面積をＳ、前記切れ目の前記裏面に開口する部分の面積の総和をＣとしたとき、Ｃの（Ｓ＋Ｃ）に対する比率が２〜９０％である請求項２に記載のタイル。
【発明の詳細な説明】
【技術分野】
【０００１】
本発明は、放湿や遮熱の機能を有する放湿壁面構造及びその放湿壁面構造に用いられるタイルに関する。
【背景技術】
【０００２】
建物の壁本体には美観の発現、遮熱、断熱あるいは防水のため化粧パネルやタイルが敷設される。あるいは塗料が施される。しかし、これらのパネルやタイルや塗料は壁本体から放出されるべき湿気を遮断するので、湿気を室内にこもらせてしまうという問題がある。
このため、発泡樹脂パネルに、その室内面に掘り込み形成して多数配置した集湿スペースと、該集湿スペースと室外面に連通するように透設した各集湿スペース毎に単一乃至複数にして通気抵抗を可及的に大とした放湿孔とを備えさせた放湿性外断熱パネルなどが開示されている（例えば、特許文献1参照）。また、透湿性の塗料（例えば、特許文献２参照）も開示されている。
【０００３】
このようなパネルは放湿性のうえでは有効的といえるものの、樹脂を用いることによる耐久性や、外部からの衝突物による耐破損性などの点が懸念される。また、このようなパネルや塗料はタイルの持つような外観の重厚さを表現することが容易でない。
【先行技術文献】
【特許文献】
【０００４】
［特許文献１］特開２００６−１０４７４５号公報
［特許文献２］特開平１１−１２４５４７号公報
【発明の概要】
【発明が解決しようとする課題】
【０００５】
本発明の目的は、壁本体から湿気を放出させる、放湿や遮熱の機能を有する放湿壁面構造及びその放湿壁面構造に用いられるタイルを提供しようとすることである。
【課題を解決するための手段】
【０００６】
本発明の要旨とするところは、複数の板状のタイルが施工面に敷設されてなり、
前記タイルは表面と、施工面に面接する裏面と、一対の互いに対向する主側面と、該主側面と隣り合う一対の互いに対向する副側面とを有し、一部分が欠損して欠損空間が形成され、
前記欠損空間が各前記主側面がわで外部空間と導通し、前記副側面がわ及び前記表面がわで外部空間と導通せず、
前記施工面に前記欠損空間に露出する露出面が存在し、
隣り合うタイルの前記主側面間に目地空間となる隙間が形成された放湿壁面構造であることにある。
【０００７】
前記欠損空間は、前記裏面に形成されて一方の前記主側面から他方の前記主側面に亘る溝により形成され得る。
【０００８】
前記施工面は、前記タイルを係合する係合部を備え得、前記タイルが前記施工面に前記係合部を介して着脱可能に敷設されてなり得る。
【０００９】
また、本発明の要旨とするところは、前記欠損空間が前記タイルを一方の前記主側面から他方の前記主側面に亘って貫通する貫通中空部と、前記裏面から前記貫通中空部に至る１または複数の貫通孔からなる前記放湿壁面構造であることにある。
【００１０】
前記放湿壁面構造においては、前記裏面の前記施工面に接する部分の面積をＳ、前記露出面の面積をＫとしたとき、Ｋの（Ｓ＋Ｋ）に対する比率が２〜９０％であり得る。
【００１１】
さらに、本発明の要旨とするところは、前記放湿壁面構造に用いられる前記タイルであり、前記溝の内側面に凹凸が形成されたタイルであることにある。
【００１２】
さらに、本発明の要旨とするところは、前記放湿壁面構造に用いられる前記タイルであり、一方の前記主側面から他方の前記主側面に亘る貫通中空部を有し、前記裏面から前記貫通中空部に至る１または複数の貫通孔が形成されたタイルであることにある。
【００１３】
前記タイルは、敷設状態でタイルの裏面の壁本体に接する部分の面積をＳ、前記貫通孔の前記裏面の開口部の面積の総和をＫとしたとき、Ｋの（Ｓ＋Ｋ）に対する比率が２〜９０％であるタイルであり得る。
【００１４】
前記タイルは、前記欠損空間が、前記タイルを一方の前記主側面から他方の前記主側面に亘って貫通する貫通中空部と、前記裏面を二分して一方の前記主側面から他方の前記主側面に亘って形成され前記貫通中空部に達する切れ目により形成され、前記溝が貫通中空部と前記切れ目からなり、敷設状態でタイルの裏面の壁本体に接する部分の面積をＳ、前記切れ目の前記裏面に開口する部分の面積の総和をＣとしたとき、Ｃの（Ｓ＋Ｃ）に対する比率が２〜９０％であるタイルであり得る。
【発明の効果】
【００１５】
本発明によると、壁本体から湿気を放出させる、放湿や遮熱の機能を有する放湿壁面構造及びその放湿壁面構造に用いられるタイルが提供される。
【図面の簡単な説明】
【００１６】
【図１（ａ）】本発明の放湿壁面構造の態様の一例を示す正面図である。
【図１（ｂ）】本発明の放湿壁面構造の態様の他の一例を示す正面図である。
【図２】本発明の放湿壁面構造に用いられるタイルの態様の一例を示す斜視図である。
【図３】本発明の放湿壁面構造に用いられるタイルの態様の他の一例を示す断面図である。
【図４】図１に示す放湿壁面構造の断面図である。
【図５】本発明の放湿壁面構造に用いられるタイルの態様のさらに他の例を示す断面図である。
【図６】本発明の放湿壁面構造の他の態様の一例を示す断面図である。
【図７】本発明の放湿壁面構造のさらに他の態様の一例を示す断面図である。
【図８】本発明の放湿壁面構造における湿気の流れを説明する図である。
【図９】本発明の放湿壁面構造に用いられるタイルの態様のまたさらに他の一例を示す断面図である。
【図１０（ａ）】本発明の放湿壁面構造の他の態様の一例を示す正面図である。
【図１０（ｂ）】本発明の放湿壁面構造の他の態様の他の一例を示す正面図である。
【図１１】図１０に示す本発明の放湿壁面構造に用いられるタイルの態様の一例を示す斜視図である。
【図１２】図１０に示す放湿壁面構造の断面図である。
【図１３】図１に示す放湿壁面構造の断面図である。
【図１４】本発明の放湿壁面構造に用いられるタイルの態様のまたさらに他の例を示す断面図である。
【図１５】本発明の放湿壁面構造に用いられるタイルの裏面からみた平面図である。
【図１６】本発明の放湿壁面構造に用いられるさらにまた他の態様のタイルの裏面からみた平面図である。
【図１７】本発明の放湿壁面構造に用いられるまたさらに他の態様のタイルの貫通孔の形状の例を示す図である。
【図１８】本発明の放湿壁面構造に用いられるタイルの他の態様の一例を示す斜視図である。
【発明を実施するための形態】
【００１７】
本発明の放湿壁面構造は、複数のタイルが壁本体の施工面に敷設されてなる。このタイルは表面と、前記施工面に面接する裏面と、一対の互いに対向する主側面と、この主側面と隣り合う一対の互いに対向する副側面とを有する板状体の一部分が欠損空間で欠損した形状をなす。この板状体は通常略四角板形状をなすものである。四角は例えば、正方形、長方形、平行四辺形であることができる。
【００１８】
この欠損空間は各主側面がわで外部空間と導通し、副側面がわ及びタイル表面がわでは外部空間と導通していない。また、施工面にはこの欠損空間に露出している露出面が存在する。
【００１９】
さらに、本発明の放湿壁面構造においては、隣り合うタイルの主側面間に目地空間となる隙間が形成されている。
【００２０】
本発明の放湿壁面構造のかかる構成により、壁本体から露出面を経て欠損空間へ湿気が放出され、さらにこの湿気が目地空間を経由して大気中に放出される。この放出により室内の湿度上昇が抑制される。また、本発明の放湿壁面構造は、タイル表面と施工面との間に欠損空間が存在することにより、外部の日射等による熱を室内に対して遮蔽する効果を有する。
【００２１】
本発明の放湿壁面構造の具体的態様を図を用いて説明する。なお、本明細書においては、各図にわたって記される同じ符号は同一又は同様の部材やものを示す。図１（ａ）に示すように、本発明の放湿壁面構造２は複数のタイル４が施工面に敷設されてなる。タイル４は一対の互いに対向する主側面６，６を有し、一方の主側面６から他方の主側面６に亘る溝８を裏面に有する。放湿壁面構造２においては、隣り合うタイル４，タイル４´のそれぞれの対向の主側面６，６´間に目地空間となる隙間１５が形成されている。溝８の延びる方向Ｍは水平方向である。タイル４，タイル４´の連なる方向と直交方向に隣り合うタイル４，タイル４´´のそれぞれの対向の副側面７，７´間にも目地空間となる隙間１５´が形成されていることが好ましい。
【００２２】
図１（ｂ）に示すように、本発明の放湿壁面構造は、溝８の延びる方向Ｍが上下方向である放湿壁面構造２´であってもよい。
図２にタイル４の形状を示す。タイル４は溝８のふところである内側空間が主側面６，６を突き抜けている形状となっている。すなわち、タイル４の主側面６に平行な断面形状は略Ｕ字形あるいは略コの字となっている。溝８により欠損空間８８が形成される。
【００２３】
本発明の他の態様においては、タイル（４−１、４−２）の主側面６に平行な断面形状は図３に示すように略Ｅ字形（図３（ａ））あるいは略櫛形状（図３（ｂ））であってもよい。すなわち、タイルに複数の互いに平行な溝８が形成されていてもよい。溝８により欠損空間８８が形成される。
【００２４】
図４に壁本体１０の施工面１２に敷設されたタイル４を示す。タイル４は施工面１２に接着部１４で接着剤１６により接着されている。接着部１４はタイル４の裏面の溝８が形成されていない部分である。図４は溝８の延びる方向Ｍと直交方向の断面図である。
【００２５】
図５に本発明において用いられる他の態様のタイル（４−３、４−４、４−５、４−６、４−７）の断面形状を示す。
【００２６】
図６に壁本体１０の施工面１２に敷設された他の態様のタイル４−７を示す。タイル４−７は施工面１２に接着部１４で接着剤１６により接着されているとともに施工面に備えられた係合部１８を介して係合されている。係合部１８はフック状であり、タイル４−７の溝８−１の面に係合している。
【００２７】
図７に壁本体１０の施工面１２に敷設された他の態様のタイル４−８を示す。タイル４−８は施工面１２に施工面に備えられた係合部１８−１，１８−２を介して係合されている。係合部１８−１，１８−２はフック状であり、タイル４−８の溝８−２の面と、タイル４−８の下側面に設けられた係合溝９にそれぞれ係合している。この態様は、タイル４−８が施工面１２から着脱可能であり、破損したタイルの交換や、施工されたタイルのデザインの変更などの場合に交換が迅速に行われて好ましい。
【００２８】
本発明の放湿壁面構造２、あるいは放湿壁面構造２´にあっては、タイル４を例に説明するならば、図８に示すように、壁本体１０から矢印Ａの方向に放出された湿気が溝８のふところである内側空間２０に達したのち、施工面１２と溝８の内側面２２に囲まれてなる孔２１（内側空間２０）の開口２４から目地空間となる隙間１５（図1）を経由して大気中に放出される。内側空間２０は欠損空間８８から構成される。  欠損空間８８は主側面６、６がわで外部空間と導通し、副側面７、７がわ及びタイル表面９０がわでは外部空間と導通していない。また、施工面１２には欠損空間８８に露出している露出面９２が存在する。なお、主側面６と副側面７とは隣り合い、主側面６、６の対向方向と副側面７、７の対向方向とは交差している。
【００２９】
このように本発明の放湿壁面構造にあっては、壁本体１０から露出面９２を経由して放出された湿気が大気中に放出される通路が確保されるので、室内に湿気がこもることが防止される。また、本発明の放湿壁面構造は、内側空間２０の存在により、外部の日射等による熱を室内に対して遮蔽する効果を有する。
【００３０】
このように、本発明の放湿壁面構造２、あるいは放湿壁面構造２´にあっては室内の湿気が大気中に放出される通路が確保されるので、とくに冬場においては、室内の降温により飽和した蒸気が壁本体１０を通って大気中に放出される通路が確保されて、室内の結露を防止できる。
【００３１】
また、とくに図１（ｂ）に示す態様にあっては、溝８が上下に連なって施工面１２と溝８の内側面２２に囲まれてなる孔２１（内側空間２０）がトンネル孔を形成する状態となり、タイル４が日射等で昇温したときにトンネル効果により空気がトンネル孔を下から上に吹き抜けるので、壁本体１０から放出された湿気が効率よく大気中に放出される。
【００３２】
本発明に用いられるタイルは成形された素地を焼成して製造することができる。素地の成形はプレス成形、押し出し成形等により行うことができる。
【００３３】
本発明の放湿壁面構造に用いられるタイルは、図９に示すように溝８の内側面１１に凹凸１３が形成されているタイル４４であることが好ましい。凹凸１３の存在により、溝８の内側面１１の表面積を多くすることができ、これにより、内側面１１からの放熱量が多くなって外部の日射等による熱によりタイル４４が昇温したときに内側面１１からの放熱によりタイル４４を冷却する効果が大である。この放熱効果は隙間１５（図1）の一方から溝８のふところである内側空間２０に進入し他方の隙間１５（図1）を経由して大気中（外部）に流れ出る空気流によりさらに促進される。
【００３４】
凹凸１３はドット状のものであってもよい。あるいは一方向に直線的にあるいはジグザグにあるいは蛇行して延びる凸条の集合であってもよい。網目状の凹凸であってもよい。凹凸の周期はタイル４４の肉厚にもよるが１〜２０ｍｍであることが好ましい。凹凸の最低部から頭頂までの高さｈは１〜１０ｍｍであることが好ましい。
【００３５】
本発明の放湿壁面構造のさらに他の態様にあっては、図１０（ａ）に示すように、複数のタイル４ａが施工面に敷設されて放湿壁面構造２ａが構成される。タイル４ａは一対の互いに対向する主側面６ａ，６ａを有し、一方の主側面６ａから他方の主側面６ａに亘る貫通中空部１０２を有し、タイルの裏面から貫通中空部１０２に至る貫通孔１０４が形成され、隣り合うタイルの側面６ａ、６ａ´間に目地空間となる隙間１５ａが形成されている。貫通中空部１０２の貫通方向Ｍは水平方向である。タイル４ａ，タイル４ａ´の連なる方向と直交方向に隣り合うタイル４ａ，タイル４ａ´´のそれぞれの対向の側面７ａ，７ａ´間にも目地空間となる隙間１５´´が形成されていることが好ましい。
【００３６】
図１０（ｂ）に示すように、本発明の放湿壁面構造は、貫通中空部１０２の貫通方向Ｍが上下方向である放湿壁面構造２ａ´であってもよい。
【００３７】
図１１にタイル４ａの形状を示す。タイル４ａは貫通中空部１０２のふところである内側空間２０ａが主側面６ａ，６ａを突き抜けている形状となっている。また、タイルの裏面１０６から貫通中空部１０２に至る貫通孔１０４が形成されている。貫通中空部１０２と貫通孔１０４とで欠損空間８８ａが構成される。
【００３８】
貫通中空部１０２と貫通孔１０４とで欠損空間８８ａが構成される。  欠損空間８８ａは主側面６ａ、６ａがわで外部空間と導通し、副側面７ａ、７ａがわ及びタイル表面９０ａがわでは外部空間と導通していない。なお、主側面６ａと副側面７ａとは隣り合い、主側面６ａ、６ａの対向方向と副側面７ａ、７ａの対向方向とは交差している。
【００３９】
図１２に壁本体１０の施工面１２に敷設されたタイル４ａを示す。タイル４ａは施工面１２に接着部１４で接着剤１６により接着されている。接着部１４はタイル４ａの裏面の貫通孔１０４が形成されていない部分である。図１２は貫通中空部１０２の延びる方向Ｍと直交方向の断面図である。施工面１２には欠損空間８８ａに露出している露出面９２ａが存在する。
【００４０】
本発明の放湿壁面構造２ａ、あるいは放湿壁面構造２ａ´にあっては、図１３に示すように、壁本体１０から矢印Ａの方向に放出された湿気が露出面９２ａから貫通孔１０４を経由して貫通中空部１０２のふところである内側空間２０ａに達したのち、貫通中空部１０２（内側空間２０ａ）の開口２４ａから目地空間となる隙間１５（図１０ａ）を経由して大気中に放出される。このように本発明の放湿壁面構造２ａ、あるいは放湿壁面構造２ａ´にあっても、壁本体１０から放出された湿気が大気中に放出される通路が確保されるので、室内に湿気がこもることが防止される。また、本発明の放湿壁面構造は、内側空間２０ａの存在により、外部の日射等による熱を室内に対して遮蔽する効果を有する。
【００４１】
このように、本発明の放湿壁面構造２ａ、あるいは放湿壁面構造２ａ´にあっては室内の湿気が大気中に放出される通路が確保され、とくに冬場においては、室内の降温により飽和した蒸気が壁本体１０を通って貫通孔１０４、貫通中空部１０２を経由して大気中に放出される通路が確保されて、室内の結露を防止できる。
【００４２】
また、とくに図１０ａ（ｂ）に示す態様にあっては、貫通中空部１０２が上下に連なって施工面１２と貫通中空部１０２（内側空間２０）がトンネル孔を形成する状態となり、タイル４ａが日射等で昇温したときにトンネル効果により空気がトンネル孔を下から上に吹き抜けるので、壁本体１０から放出された湿気がさらに効率よく大気中に放出される。
【００４３】
本発明の２ａ、あるいは放湿壁面構造２ａ´に用いられるタイルは、図１４に示すように貫通中空部１０２の内側面１１ａに凹凸１３ａが形成されているタイル４４ａであることが好ましい。凹凸１３ａの存在により、貫通中空部１０２の内側面１１ａの表面積を多くすることができ、これにより、内側面１１ａからの放熱量が多くなって外部の日射等による熱によりタイル４４ａが昇温したときに内側面１１ａからの放熱によりタイル４４ａを冷却する効果が大である。この放熱効果は隙間１５（図１０）の一方から貫通中空部１０２のふところである内側空間２０に進入し他方の隙間１５（図１０）を経由して大気中に流れる空気流によりさらに促進される。
【００４４】
凹凸１３ａはドット状のものであってもよい。あるいは一方向に直線的にあるいはジグザグにあるいは蛇行して延びる凸条の集合であってもよい。網目状の凹凸であってもよい。凹凸の周期はタイル４４ａの肉厚にもよるが１〜２０ｍｍであることが好ましい。凹凸の最低部から頭頂までの高さｈは１〜１０ｍｍであることが好ましい。凹凸は貫通中空部１０２の貫通方向に直線的に延びる筋状であることがタイルの素地の成形性のうえで好ましい。
【００４５】
タイル４ａなどの貫通中空部１０２とタイルの裏面から貫通中空部に至る貫通孔１０４が形成されている本発明のタイルにおいては、図１５のタイルの裏面からみた平面図に示すように、敷設状態でタイルの裏面の壁本体１０（図１３）に接する部分１２０の面積をＳ、貫通孔１０４のタイルの裏面の開口部１２２の面積をＫとしたとき、Ｋの（Ｓ＋Ｋ）に対する比率（（Ｋ／（Ｓ＋Ｋ））×１００）が２〜９０％であることが、壁面１０からの湿気を効率よく大気中に放出するうえで好ましい。この比率が２％未満であると、湿気を大気中に放出する効率が悪くなる。この比率が９０％を越えるとＳが過小となり、タイルの裏面と壁本体１０との接合強度が不十分となりやすい。
【００４６】
貫通孔１０４は図１６に示すように１個のタイルにつき複数個形成されていてもよい。貫通孔１０４が複数個の場合は上式におけるＳは各貫通孔の開口部の面積の総和である。
【００４７】
貫通孔１０４の開口部の形状はとくに限定されず、図１７に示すように丸のほかに、三角、四角、星形、ひし形、半円などが例示される。
【００４８】
タイル４−７などの貫通中空部１０２と裏面１０６を二分して一方の前記主側面６ａから他方の前記主側面６ａに亘って形成され貫通中空部１０６に達する切れ目１０５が形成されている本発明のタイル（図１８）においては、欠損空間８８ｂが、貫通中空部１０６と切れ目１０５より形成される。すなわち、溝８ｂが貫通中空部１０６と切れ目１０５からなる。このとき、敷設状態でタイルの裏面の壁本体に接する部分の面積をＳ、切れ目１０５の裏面１０６に開口する部分の面積（貫通中空部と切れ目が複数のときは総和）をＣとしたとき、Ｃの（Ｓ＋Ｃ）に対する比率が２〜９０％であることが、壁面からの湿気を効率よく大気中に放出するうえで好ましい。この比率が２％未満であると、湿気を大気中に放出する効率が悪くなる。この比率が９０％を越えるとＳが過小となり、タイルの裏面と壁本体との接合強度が不十分となりやすい。
【００４９】
その他、本発明は、主旨を逸脱しない範囲で当業者の知識に基づき種々なる改良、修正、変更を加えた態様で実施できるものである。
【産業上の利用可能性】
【００５０】
本発明のタイル及び放湿壁面構造は、省エネ効果を増大させるものとして建造物に広く適用される。
【符号の説明】
【００５１】
２，２´，２ａ，２ａ´：放湿壁面構造
４，４´，４ａ，４ａ´，４−３，４−４，４−５，４−６，４−７，４−８，４４，４４ａ：タイル
６，６´，６ａ：主側面
７，７´，７ａ：副側面
８，８−１：溝
１１，１１ａ，２２：内側面
１３，１３ａ：凹凸
１５：隙間
１０：壁本体
１２：施工面
１４：接着部
１６：接着剤
１８，１８−１，１８−２：係合部
２０，２０ａ：内側空間
２１：孔
２４，２４ａ：開口
８８，８８ａ：欠損空間
９０，９０ａ：表面
９２，９２ａ：露出面
１０２：貫通中空部
１０４：貫通孔
１０５：切れ目
１０６：タイルの裏面
【図１（ａ）】
2010077795.tif 000003
【図１（ｂ）】
2010077795.tif 000004
【図２】
2010077795.tif 000005
【図３】
2010077795.tif 000006
【図４】
2010077795.tif 000007
【図５】
2010077795.tif 000008
【図６】
2010077795.tif 000009
【図７】
2010077795.tif 000010
【図８】
2010077795.tif 000011
【図９】
2010077795.tif 000012
【図１０（ａ）】
2010077795.tif 000013
【図１０（ｂ）】
2010077795.tif 000014
【図１１】
2010077795.tif 000015
【図１２】
2010077795.tif 000016
【図１３】
2010077795.tif 000017
【図１４】
2010077795.tif 000018
【図１５】
2010077795.tif 000019
【図１６】
2010077795.tif 000020
【図１７】
2010077795.tif 000021
【図１８】
2010077795.tif 000022